(57)【要約】【課題】要介護者が排泄した便を確実に収納袋に収納することが出来、便の処理という介護をより容易にする。【解決手段】介護用使い捨て便器は、要介護者の肛門１７の周りの臀部１９の間の溝２０に嵌まり込み、先端が肛門１７に当てられる肛門当部材３と、この肛門当部材３の中心を貫通するよう設けられた便通過孔４と、この肛門当部材３の先端を要介護者の肛門１７に保持するための固定手段を有する可撓性シート状のパッド８と、前記肛門当部材３の便通過孔４に通じ、パッド８の中央の孔９の周りに上端縁が固定された筒状の弾性体からなる保形体１と、この保形体１の外側に上端部が嵌め込まれて取り付けられ、人の肛門１７から排泄される大便を前記便通過孔４から保形体１の中を通して収納する収納袋１５とを有する。【選択図】図１
2008229085.tif 000002
【特許請求の範囲】
【請求項１】
要介護者の肛門から排泄される大便を受けて収納する介護用使い捨て便器であって、要介護者の肛門（１７）の周りの臀部（１９）の間の溝（２０）に嵌まり込み、先端が肛門（１７）に当てられる肛門当部材（３）と、この肛門当部材（３）の中心を貫通するよう設けられた便通過孔（４）と、この肛門当部材（３）の先端を要介護者の肛門（１７）に保持するための固定手段を有する可撓性シート状のパッド（８）と、前記肛門当部材（３）の便通過孔（４）に通じ、パッド（８）の中央の孔（９）の周りに上端縁が固定された筒状の弾性体からなる保形体（１）と、この保形体（１）の外側に上端部が嵌め込まれて取り付けられ、人の肛門（１７）から排泄される大便を前記便通過孔（４）から保形体（３）の中を通して収納する収納袋（１５）とを有することを特徴とする介護用使い捨て便器。
【請求項２】
前記保形体（１）は、前部と後部の少なくとも一方に開口部（６）、（７）を有することを特徴とする請求項１に記載の介護用使い捨て便器。
【請求項３】
前記保形体（１）は、その上部（２）が下部（５）より弾性係数が高いことを特徴とする請求項１または２に記載の介護用使い捨て便器。
【発明の詳細な説明】
【技術分野】
【０００１】
本発明は、体が弱った老人や病人であって、自分では排泄した大便を処理できないため他人の介護が必要な要介護者が体に装着し、その要介護者が大便を排泄したとき、介護者が清潔且つ簡単にその大便を使用することができるようにした介護用使い捨て便器に関する。
【背景技術】
【０００２】
体が弱った老人や病人であって、特に自分では排泄した大便を処理できない程度の重度の要介護者を介護するとき、最も困難な作業の一つが大便の処理である。大便は悪臭を伴うだけでなく、体に付着すると、ただれや痒みの原因となり、重度要介護者に苦痛を与える原因にもなる。
【０００３】
従来、要介護者の大便の処理にあたっては、便意の意思表示が出来る程度の要介護者の場合であれば、ベッドで使用できる便器を使用して排泄させ、その後肛門の周りを拭いて清浄にしておくことにより大便の処理を行うことができる。しかし、便器はその都度処理しなければならず、介護の相当に面倒な部分である。
【０００４】
他方、便意の意思表示が出来ない重度な要介護者では、使い捨ての手軽さの観点から、大便の処理のためいわゆる紙オムツのように、大便や尿を吸い取る形式の使い捨て方式のものも多く使用されている。しかし、いわゆる紙オムツの場合、排泄した大便が紙オムツと要介護者の皮膚の間に広がってしまい、皮膚の広範囲に大便が付着してしまうため、要介護者から紙おむつを取り外すときの処理がこれまた厄介である。
【０００５】
さらに要介護者の肛門の部分に袋を取り付け、その中に大便を排泄させて処理する形式の使い捨て便器も提案されている。しかし、肛門の周りは凹凸があり、使い捨て便器と肛門の周りの皮膚との間に大きな隙間が出来てしまう。特に軟便の場合にその隙間から便が漏れて、寝具や寝間着を汚してしまう等の問題も多く生じる。
【０００６】
日本では、かつての先進国が経験したことのない程の少子・老齢化が進んでおり、要介護者の増加と介護要員の不足が懸念される。そのような状況の中で、要介護者に苦痛を与えずに、なお且つ手数をできるだけかけずに介護できる術が要請されている。
【０００７】
要介護者が排泄する大便の処理もその一つであり、多くの手数をかけずになお且つ要介護者に苦痛を与えず、どのようなときでも、要介護者が大便を排泄できるようにすることが必要である。そのためには、要介護者がほぼ常時装着できる使い捨て便器であって、漏れて肛門周り以外の部分に排泄した大便が付着しないような使い捨て便器の開発が望まれるところである。
【０００８】
そこで本件特許出願人は、特許第３４８８７１５号公報に記載されたように、パッドと収納袋を使用した介護用使い捨て便器を提案している。この介護用使い捨て便器は、要介護者の臀部の間の溝に嵌り込み、肛門から排泄される便を受けるための肛門当部材をパットに取り付け、このパットを要介護者の尻に固定し、その下に取り付けた収納袋に便を収納する構造である。
【０００９】
この介護用使い捨て便器は、要介護者がほぼ常時違和感無く装着でき、しかも排泄した大便が漏れて肛門周り以外の部分にその大便が付着しないという初期の目的を達成することが出来る。しかし、欠点としては要介護者が動くことによって、収納袋が潰れることがあり、そうした場合に収納袋に便がうまく送り込まれないという点である。
【００１０】
【特許文献１】特開２００６−３２０５９３号公報
【特許文献２】特開２００６−３１４７５８号公報
【特許文献３】特開２００６−１６７１８１号公報
【特許文献４】特開２００６−１４９６６号公報
【特許文献５】特開２００４−１５９９４８号公報
【特許文献６】特開２０００−１２６２１５号公報
【特許文献７】特開平７−３２８０５２号公報
【発明の開示】
【発明が解決しようとする課題】
【００１１】
本発明は、前記従来の要介護者が排泄する大便の処理における課題に鑑み、要介護者が排泄した便を確実に収納袋に収納することが出来、便の処理という介護をより容易にすることが出来る介護用使い捨て便器を提供することを目的とする。
【課題を解決するための手段】
【００１２】
本発明は、前記の目的を達成するため、パッド８の中央の孔９の周りに筒状の弾性体からなる保形体１を取り付け、この保形体１の外側に収納袋１５の上端部を嵌め込んで同収納袋１５を取り付けるようにした。この保形体１により、収納袋１５の特に上端部の潰れを防止して便の通過する空洞を確保すると共に、人の肛門１７から排泄される大便を前記保形体１の中を通して収納袋１５に確実に収納出来るようにしたものである。
【００１３】
すなわち、本発明による介護用使い捨て便器は、要介護者の肛門１７の周りの臀部１９の間の溝２０に嵌まり込み、先端が肛門１７に当てられる肛門当部材３と、この肛門当部材３の中心を貫通するよう設けられた便通過孔４と、この肛門当部材３の先端を要介護者の肛門１７に保持するための固定手段を有する可撓性シート状のパッド８と、前記肛門当部材３の便通過孔４に通じ、パッド８の中央の孔９の周りに上端縁が固定された筒状の弾性体からなる保形体１と、この保形体１の外側に上端部が嵌め込まれて取り付けられ、人の肛門１７から排泄される大便を前記便通過孔４から保形体１の中を通して収納する収納袋１５とを有するものである。
【００１４】
このような介護用使い捨て便器において、パッド８の中央の孔９の周りに筒状の弾性体からなる保形体１を取り付け、この保形体１の外側に収納袋１５の上端部を嵌め込んで同収納袋１５を取り付けることにより、要介護者が多少動いても、前記保形体１１が収納袋１５の特に上部の潰れを防止する。このため、肛門当部材３の便通過孔４から落ちてくる便が保形体１の中を通って収納袋１５に確実に収納される。
【００１５】
さらにこのような介護用使い捨て便器において、前記保形体１がその前部と後部の少なくとも一方に開口部６、７を有することが好ましい。これにより、保形体１の下方からだけでなく、保形体１の中からその前方及び／または後方からも便を収納袋１５に送ることが出来る。
【００１６】
またこのような介護用使い捨て便器において、前記保形体１が、上部２と下部５との二重構造とし、上部２の弾性係数が下部５より高くなるように材料を選定することが好ましい。これにより、弾性係数が低い下部５が介護用使い捨て便器の要介護者への当たりを和らげる一方で、弾性係数が高い上部２が収納袋１５の上部の潰れを確実に防止する。
【発明の効果】
【００１７】
以上説明した通り、本発明による介護用使い捨て便器では、要介護者が多少動いても、前記保形体１１が収納袋１５の特のその上部の潰れを防止するため、肛門当部材３の便通過孔４から落ちてくる便が保形体１の中を通って収納袋１５に確実に収納される。これにより、要介護者が排泄した便の停滞による便の漏れ等のトラブルを最小限に抑えることが可能となる。
【発明を実施するための最良の形態】
【００１８】
本発明は、パッド８の中央の孔９の周りに筒状の弾性体からなる保形体１を取り付け、この保形体１の外側に収納袋１５の上端部を嵌め込んで同収納袋１５を取り付けるようにし、その目的を達成するものである。
以下、本発明を実施するための最良の形態について、実施例をあげて詳細に説明する。
【００１９】
図１に本発明の一実施形態による介護用使い捨て便器の収納袋１５を取り付ける前の状態を示す。図２は、これらの構成部材を一体として、介護用使い捨て便器を構成した状態を示す。図３は、収納袋１５のみを断面して示した図であり、図４はそのＡ−Ａ線断面図である。これらの図に示す通り、図示の介護用使い捨て便器は、パット８の上側に肛門当部材３を、パット８の下側に保形体１と収納袋１５とを有する。
【００２０】
パッド８の部分は厚さ１ｍｍ程度の弾性と可撓性を有するシート状であり、両側が長くせり出している。このパッドは、要介護者の肛門の周りの皮膚に当てて使用するため、人の肌に当たっても強い刺激を与えず、アレルギー等も起こさない軟質樹脂等が好ましい。このパット８の長軸方向の両端には、そのパット８を人のお尻に取り付けるための固定手段である紐１１が取り付けられている。
【００２１】
このパット８の中央には上方に向けて肛門当部材３が設けられている。この肛門当部材３は例えば要介護者の肛門の前後方向に長い楕円筒状のものである。図示の例ではパット８と一体に形成されている。この肛門当部材３の中は便通過孔４となっており、この便通過孔４は、肛門当部材３の上端からパット８にわたって貫通している。
【００２２】
パット８の下面の中央の便通過孔４の開口部の周りから楕円筒状の保形体１が下方に向けて延設されている。この保形体１の平面形状は、図４に示すように、一方が開いた馬蹄形をしており、その開いた側が開口部６となっている。この保形体１は、パット８と一体のものであってもよいし、別部材を取り付けたものであってもよい。図示の例では、保形体１は上下二重構造となっており、上部２と下部５が別部材となっている。この場合は保形体１の上部２のみをパット８と一体に成形することも出来る。
【００２３】
保形体１の上部２と下部５は、何れも弾性材料により作られているが、上部２の弾性係数が下部５の弾性係数より高くなるように異なる材料で作られるのが好ましい。そうすることにより、上部２より下部５の方が外力に対して弾性変形しやすい。例えば、保形体１の上部２はパット３と一体に成形された気孔率の小さな材料からなり、下部５はそれより気孔率の大きな材料、例えば海綿状素材からなる。さらに保形体１の上部２の前記開口部６と反対側の部分には、円形の開口部７が設けられている。このた開口部７は、保形体１の上部２にのみ設けられているため、保形体１の反対側に上下にわたって設けられている開口部６より狭くなっている。さらに、保形体１の最上部の外周部分には、細い括れ９が形成されている。
【００２４】
前記保形体１の外側に収納袋１５の上部が嵌め込まれ、この収納袋１５のリング状の上縁部１６が前記保形体１の最上部の括れ９に嵌め込まれた取り付けられる。この収納袋１５は、ゴムや合成樹脂等のように、変形しやすく、且つ水密性を有するものからなる。収納袋１５の上縁部１６は、断面円形のリング状であり、この部分を弾力に抗して押し広げ、前記保形体１の最上部の括れ９に嵌め込んで取り付ける。
【００２５】
このような介護用使い捨て便器の使用状態を図５に示す。この図５に示すように、肛門当部材３を人の肛門１７の周りの臀部１９の間の溝２０に嵌め込み、その肛門当部材３の中央の便通過孔４の上端を人の肛門１７に当てる。この状態で紐１１、１１を人のお尻の後ろと太股の両側に通し、これらの紐１１、１１を結んでパッド８を肛門１８の周りの皮膚に当てて固定する。この状態で、介護用使い捨て便器を重度介護者のお尻に装着しておく。この場合、通常は保形体１の大きな開口部６側を後方に向ける。
【００２６】
この装着状態において、要介護者が多少動いても、前記保形体１１が収納袋１５の潰れを防止する。このため、肛門当部材３の便通過孔４から落ちてくる便が保形体１の中を通って収納袋１５に確実に収納される。この場合において、前記保形体１が、その上部２の弾性係数が下部５より高くなるように材料を選定することにより、弾性係数が低い下部５が介護用使い捨て便器の要介護者への当たりを和らげる一方で、弾性係数が高い上部２が収納袋１５の上部の潰れを確実に防止する。
【００２７】
要介護者の肛門１７から大便が排泄されると、排泄された大便は肛門１７の周りの溝２０に嵌め込まれた肛門当部材３の便通過孔４を通り、さらに保形体１の中を通り、その外側に嵌め込まれた収納袋１５に収納される。この場合において、前記保形体１がその前方と後方の少なくとも一方に開口部６、７を有すると、保形体１の下方からだけでなく、保形体１の中からその前方や後方からも便を収納袋に送ることが出来る。
【産業上の利用可能性】
【００２８】
本発明による介護用使い捨て便器では、常にそれを要介護者が装着し、要介護者の肛門から排泄された大便を収納袋１５に収納して処理できる。大便を入れた使い捨て使い捨て便器はそのまま廃棄できるので、介護者の大便の処理が大幅に楽になる。従って、介護という福祉の分野でその利便性を発揮することが期待される。
【図面の簡単な説明】
【００２９】
【図１】本発明の一実施形態による介護用使い捨て便器の本体に収納袋を取り付ける前の状態を示す斜視図である。
【図２】同実施形態による介護用使い捨て便器を示す斜視図である。
【図３】同実施形態による介護用使い捨て便器を示す収納袋のみを断面した正面図である。
【図４】図３のＡ−Ａ線断面図である。
【図５】同実施形態による介護用使い捨て便器を人のお尻に装着した状態の背面図である。
【符号の説明】
【００３０】
１    保形体
２    保形体の上部
３    肛門当部材
４    肛門当部材の便通過孔
５    保形体の下部
８    パッド
１１  パッドの紐
１５  収納袋
１７  人の肛門
１９  人の臀部
２０  臀部の間の溝
【図１】
2008229085.tif 000003
【図２】
2008229085.tif 000004
【図３】
2008229085.tif 000005
【図４】
2008229085.tif 000006
【図５】
2008229085.tif 000007
【手続補正書】
【提出日】平成19年3月23日(2007.3.23)
【手続補正１】
【補正対象書類名】特許請求の範囲
【補正対象項目名】請求項１
【補正方法】変更
【補正の内容】
【請求項１】
要介護者の肛門から排泄される大便を受けて収納する介護用使い捨て便器であって、要介護者の肛門（１７）の周りの臀部（１９）の間の溝（２０）に嵌まり込み、先端が肛門（１７）に当てられる肛門当部材（３）と、この肛門当部材（３）の中心を貫通するよう設けられた便通過孔（４）と、この肛門当部材（３）の先端を要介護者の肛門（１７）に保持するための固定手段を有する可撓性シート状のパッド（８）と、前記肛門当部材（３）の便通過孔（４）に通じ、パッド（８）の中央の孔（９）の周りに上端縁が固定された筒状の弾性体からなる保形体（１）と、この保形体（１）の外側に上端部が嵌め込まれて取り付けられ、人の肛門（１７）から排泄される大便を前記便通過孔（４）から保形体（１）の中を通して収納する収納袋（１５）とを有することを特徴とする介護用使い捨て便器。
【手続補正２】
【補正対象書類名】明細書
【補正対象項目名】００１４
【補正方法】変更
【補正の内容】
【００１４】
このような介護用使い捨て便器において、パッド８の中央の孔９の周りに筒状の弾性体からなる保形体１を取り付け、この保形体１の外側に収納袋１５の上端部を嵌め込んで同収納袋１５を取り付けることにより、要介護者が多少動いても、前記保形体１が収納袋１５の特に上部の潰れを防止する。このため、肛門当部材３の便通過孔４から落ちてくる便が保形体１の中を通って収納袋１５に確実に収納される。
【手続補正３】
【補正対象書類名】明細書
【補正対象項目名】００１７
【補正方法】変更
【補正の内容】
【００１７】
以上説明した通り、本発明による介護用使い捨て便器では、要介護者が多少動いても、前記保形体１が収納袋１５の特のその上部の潰れを防止するため、肛門当部材３の便通過孔４から落ちてくる便が保形体１の中を通って収納袋１５に確実に収納される。これにより、要介護者が排泄した便の停滞による便の漏れ等のトラブルを最小限に抑えることが可能となる。
【手続補正４】
【補正対象書類名】明細書
【補正対象項目名】００２６
【補正方法】変更
【補正の内容】
【００２６】
この装着状態において、要介護者が多少動いても、前記保形体１が収納袋１５の潰れを防止する。このため、肛門当部材３の便通過孔４から落ちてくる便が保形体１の中を通って収納袋１５に確実に収納される。この場合において、前記保形体１が、その上部２の弾性係数が下部５より高くなるように材料を選定することにより、弾性係数が低い下部５が介護用使い捨て便器の要介護者への当たりを和らげる一方で、弾性係数が高い上部２が収納袋１５の上部の潰れを確実に防止する。